(57)【特許請求の範囲】
【請求項１】
段ボール又は厚紙からなり、第１の側面部、当該第１の側面部に隣り合う第２の側面部、当該第２の側面部に隣り合う第３の側面部、及び当該第３の側面部に隣り合う第４の側面部、並びに底面部を備える箱状の組立式トイレであって、
前記第１乃至第４の側面部の各々は、外側面、当該外側面に対向する内側面、及び当該外側面の上端と当該内側面の上端とを連結する水平面を有し、
前記第１の側面部の前記水平面と前記第２の側面部の前記水平面とは、互いに重なり、
前記第２の側面部の前記水平面と前記第３の側面部の前記水平面とは、互いに重なり、
前記第３の側面部の前記水平面と前記第４の側面部の前記水平面とは、互いに重なり、
前記第４の側面部の前記水平面と前記第１の側面部の前記水平面とは、互いに重なり、
前記第１及び第２の側面部のうち一方の側面部は、前記水平面から前記内側面の途中にかけて形成された第１のスリットを有しており、
前記第１及び第２の側面部のうち他方の側面部の前記内側面は、当該内側面の下端から延びる第１の切込部を有しており、
前記一方の側面部の前記内側面における前記第１のスリットの延長線上にある部分に前記第１の切込部が係合するように前記他方の側面部の前記内側面が前記第１のスリットに差し込まれることにより、前記一方の側面部の前記水平面上に前記他方の側面部の前記水平面が重なることを特徴とする組立式トイレ。
【請求項２】
請求項１に記載の組立式トイレにおいて、
前記第２及び第３の側面部のうち一方の側面部は、前記水平面から前記内側面にかけて形成された第２のスリットを有しており、
他方の側面部の前記内側面が前記第２のスリットに差し込まれることにより、前記一方の側面部の前記水平面上に、前記他方の側面部の前記水平面が重なるように構成されている組立式トイレ。
【請求項３】
請求項２に記載の組立式トイレにおいて、
前記第２のスリットは、前記一方の側面部の前記水平面から前記内側面の途中にかけて形成されており、
前記他方の側面部の前記内側面は、当該内側面の下端から延びる第２の切込部を有しており、
前記第２の切込部と、前記一方の側面部の前記内側面における前記第２のスリットの延長線上にある部分とが係合するように構成されている組立式トイレ。
【請求項４】
請求項２又は３に記載の組立式トイレにおいて、
前記第３及び第４の側面部のうち一方の側面部は、前記水平面から前記内側面にかけて形成された第３のスリットを有しており、
他方の側面部の前記内側面が前記第３のスリットに差し込まれることにより、前記一方の側面部の前記水平面上に、前記他方の側面部の前記水平面が重なるように構成されている組立式トイレ。
【請求項５】
請求項４に記載の組立式トイレにおいて、
前記第３のスリットは、前記一方の側面部の前記水平面から前記内側面の途中にかけて形成されており、
前記他方の側面部の前記内側面は、当該内側面の下端から延びる第３の切込部を有しており、
前記第３の切込部と、前記一方の側面部の前記内側面における前記第３のスリットの延長線上にある部分とが係合するように構成されている組立式トイレ。
【請求項６】
請求項４又は５に記載の組立式トイレにおいて、
前記第４及び第１の側面部のうち一方の側面部は、前記水平面から前記内側面にかけて形成された第４のスリットを有しており、
他方の側面部の前記内側面が前記第４のスリットに差し込まれることにより、前記一方の側面部の前記水平面上に、前記他方の側面部の前記水平面が重なるように構成されている組立式トイレ。
【請求項７】
請求項６に記載の組立式トイレにおいて、
前記第４のスリットは、前記一方の側面部の前記水平面から前記内側面の途中にかけて形成されており、
前記他方の側面部の前記内側面は、当該内側面の下端から延びる第４の切込部を有しており、
前記第４の切込部と、前記一方の側面部の前記内側面における前記第４のスリットの延長線上にある部分とが係合するように構成されている組立式トイレ。
【請求項８】
請求項６又は７に記載の組立式トイレにおいて、
前記第１のスリットは、前記第２の側面部に形成されており、
前記第４のスリットは、前記第４の側面部に形成されており、
前記第１の側面部の前記内側面が前記第１及び第４のスリットに差し込まれることにより、前記第２及び第４の側面部の前記水平面上に、前記第１の側面部の前記水平面が重なるように構成されている組立式トイレ。
【請求項９】
請求項８に記載の組立式トイレにおいて、
前記第１の側面部の前記内側面の鉛直方向の長さは、当該第１の側面部の前記外側面の鉛直方向の長さよりも小さい組立式トイレ。
【請求項１０】
請求項９に記載の組立式トイレにおいて、
前記第１の側面部は、当該第１の側面部の前記内側面の下端から前記底面部まで延びる補助片部を有する組立式トイレ。
【請求項１１】
請求項８乃至１０の何れかに記載の組立式トイレにおいて、
前記第２のスリットは、前記第２の側面部に形成されており、
前記第３のスリットは、前記第４の側面部に形成されており、
前記第３の側面部の前記内側面が前記第２及び第３のスリットに差し込まれることにより、前記第２及び第４の側面部の前記水平面上に、前記第３の側面部の前記水平面が重なるように構成されている組立式トイレ。
【請求項１２】
請求項１１に記載の組立式トイレにおいて、
前記第３の側面部の前記内側面の鉛直方向の長さは、当該第３の側面部の前記外側面の鉛直方向の長さよりも小さい組立式トイレ。
【請求項１３】
請求項１２に記載の組立式トイレにおいて、
前記第３の側面部は、当該第３の側面部の前記内側面の下端から前記底面部まで延びる補助片部を有する組立式トイレ。
【請求項１４】
請求項１乃至１３の何れかに記載の組立式トイレにおいて、
前記第１乃至第４の側面部の前記水平面は、便座として機能する組立式トイレ。
【請求項１５】
請求項１乃至１４の何れかに記載の組立式トイレにおいて、
前記第１乃至第４の側面部の各々は、複数の折込線を有する１枚の段ボール又は厚紙からなり、当該折込線に沿って折り込まれることにより、前記外側面、前記内側面及び前記水平面が形成されるように構成されている組立式トイレ。
【請求項１６】
請求項１乃至１５の何れかに記載の組立式トイレにおいて、
当該組立式トイレは、１枚の平坦な段ボール又は厚紙からなる組立式トイレ。
【請求項１７】
請求項１乃至１５の何れかに記載の組立式トイレにおいて、
当該組立式トイレは、波状の中芯を有する複数の段ボールからなり、
前記第１乃至第４の側面部における前記中芯の流れ目方向は、当該各側面部の高さ方向に平行である組立式トイレ。
【請求項１８】
請求項１乃至１７の何れかに記載の組立式トイレにおいて、
前記第１乃至第４の側面部で囲まれた空間内に設けられ、当該第１乃至第４の側面部のうち少なくとも２つの側面部の前記内側面に当接するスペーサ部材を備える組立式トイレ。
【請求項１９】
請求項１乃至１８の何れかに記載の組立式トイレにおいて、
前記第１乃至第４の側面部の周囲に設けられ、当該第１乃至第４の側面部を締め付ける固定部材を備える組立式トイレ。
【請求項２０】
請求項１乃至１９の何れかに記載の組立式トイレにおいて、
前記第１乃至第４の側面部のうち少なくとも１つの側面部は、前記外側面に重なるように設けられた補強部を有する組立式トイレ。
【請求項２１】
請求項２０に記載の組立式トイレにおいて、
前記少なくとも１つの側面部について、前記外側面の略全体が前記補強部によって覆われる組立式トイレ。
【発明の詳細な説明】
【技術分野】
【０００１】
本発明は、紙製の組立式トイレに関する。
【背景技術】
【０００２】
従来の組立式トイレとしては、例えば特許文献１に記載されたものがある。同文献に記載された組立式トイレは、底面部及び４つの側面部を有する外箱と、４つの側面部を有する内箱とを備えている。外箱及び内箱は、何れも段ボールからなる。内箱は、外箱の側面部から離間した状態で、外箱の中に配置されている。内箱の中には、排泄物が収容されるプラスチック製の袋が設けられている。また、外箱の上面には、便座部が設けられている。
【先行技術文献】
【特許文献】
【０００３】
【特許文献１】特開２００８−１０４５５８号公報
【発明の概要】
【発明が解決しようとする課題】
【０００４】
上述の組立式トイレにおいては、外箱の側面部及び内箱の側面部によって側壁が構成されている。このように側壁を二重構造とすることにより、トイレの強度をある程度は高めることができる。しかしながら、従来の組立式トイレには、強度の面で向上の余地がある。
【０００５】
本発明は、上記課題に鑑みてなされたものであり、強度に優れた組立式トイレを提供することを目的とする。
【課題を解決するための手段】
【０００６】
本発明による組立式トイレは、段ボール又は厚紙からなり、第１の側面部、当該第１の側面部に隣り合う第２の側面部、当該第２の側面部に隣り合う第３の側面部、及び当該第３の側面部に隣り合う第４の側面部、並びに底面部を備える箱状の組立式トイレであって、上記第１乃至第４の側面部の各々は、外側面、当該外側面に対向する内側面、及び当該外側面の上端と当該内側面の上端とを連結する水平面を有し、上記第１の側面部の上記水平面と上記第２の側面部の上記水平面とは、互いに重なり、上記第２の側面部の上記水平面と上記第３の側面部の上記水平面とは、互いに重なり、上記第３の側面部の上記水平面と上記第４の側面部の上記水平面とは、互いに重なり、上記第４の側面部の上記水平面と上記第１の側面部の上記水平面とは、互いに重なることを特徴とする。
【０００７】
この組立式トイレにおいては、各側面部が、外側面及び内側面からなる二重構造を有している。さらに、各側面部には、外側面と内側面とを連結する水平面が設けられている。各側面部は、その水平面が隣り合う側面部の水平面と重なり合うように構成されている。これにより、側面部どうしが相互に支え合う構造が実現されるため、トイレの強度を飛躍的に高めることができる。
【発明の効果】
【０００８】
本発明によれば、強度に優れた組立式トイレが実現される。
【図面の簡単な説明】
【０００９】
【図１】本発明による組立式トイレの第１実施形態を示す斜視図である。
【図２】図１の組立式トイレを示す平面図である。
【図３】図２のIII−III線に沿った断面図である。
【図４】図２のIV−IV線に沿った断面図である。
【図５】図１の組立式トイレの組立前の状態を示す平面図である。
【図６】図１の組立式トイレの組立て手順を説明するための図である。
【図７】図１の組立式トイレの組立て手順を説明するための図である。
【図８】図１の組立式トイレの組立て手順を説明するための図である。
【図９】図１の組立式トイレの効果を説明するための図である。
【図１０】図１の組立式トイレの効果を説明するための図である。
【図１１】本発明による組立式トイレの第２実施形態を示す斜視図である。
【図１２】図１１の組立式トイレを示す平面図である。
【図１３】図１２のXIII−XIII線に沿った断面図である。
【図１４】図１２のXIV−XIV線に沿った断面図である。
【図１５】図１１の組立式トイレの組立前の状態を示す平面図である。
【図１６】図１１の組立式トイレの組立て手順を説明するための図である。
【図１７】図１１の組立式トイレの組立て手順を説明するための図である。
【図１８】段ボールの構造を説明するための図である。
【図１９】一変形例に係る組立式トイレを示す平面図である。
【図２０】他の変形例に係る組立式トイレを示す斜視図である。
【発明を実施するための形態】
【００１０】
以下、図面を参照しつつ、本発明の実施形態について詳細に説明する。なお、図面の説明においては、同一要素には同一符号を付し、重複する説明を省略する。
（第１実施形態）
【００１１】
図１は、本発明による組立式トイレの第１実施形態を示す斜視図である。図２は、図１の組立式トイレを示す平面図である。また、図３及び図４は、それぞれ図２のIII−III線及びIV−IV線に沿った断面図である。組立式トイレ１は、段ボール又は厚紙からなる箱状の組立式トイレである。組立式トイレ１は、側面部１０（第１の側面部）、側面部２０（第２の側面部）、側面部３０（第３の側面部）及び側面部４０（第４の側面部）、並びに底面部５０を備えており、直方体の形状をしている。組立式トイレ１の大きさは、例えば、幅（各側面部１０，３０の水平方向の長さ）が４５ｃｍ程度、奥行（各側面部２０，４０の水平方向の長さ）が５０ｃｍ程度、高さ（各側面部１０，２０，３０，４０の高さ）が５０ｃｍ程度である。
【００１２】
側面部１０は、外側面１１、内側面１２及び水平面１３を有している。これらの外側面１１、内側面１２及び水平面１３は、何れも矩形である。内側面１２は、外側面１１に対向している。詳細には、外側面１１及び内側面１２は、何れも鉛直（底面部５０に対して垂直）な面であり、互いに平行である。本実施形態において外側面１１と内側面１２とは、形状及び大きさが略等しい。すなわち、外側面１１の水平方向の長さと内側面１２の水平方向の長さとは略等しく、かつ外側面１１の鉛直方向の長さと内側面１２の鉛直方向の長さとは略等しい。したがって、内側面１２は、外側面１１の全体に対向している。また、内側面１２の下端は、図３に示すように、底面部５０に達している。水平面１３は、外側面１１の上端と内側面１２の上端とを連結している。
【００１３】
側面部２０は、外側面２１、内側面２２及び水平面２３を有している。これらの外側面２１、内側面２２及び水平面２３は、何れも矩形である。内側面２２は、外側面２１に対向している。詳細には、外側面２１及び内側面２２は、何れも鉛直な面であり、互いに平行である。本実施形態において外側面２１と内側面２２とは、形状及び大きさが略等しい。すなわち、外側面２１の水平方向の長さと内側面２２の水平方向の長さとは略等しく、かつ外側面２１の鉛直方向の長さと内側面２２の鉛直方向の長さとは略等しい。したがって、内側面２２は、外側面２１の全体に対向している。また、内側面２２の下端は、図４に示すように、底面部５０に達している。水平面２３は、外側面２１の上端と内側面２２の上端とを連結している。
【００１４】
側面部３０は、外側面３１、内側面３２及び水平面３３を有している。これらの外側面３１、内側面３２及び水平面３３は、何れも矩形である。内側面３２は、外側面３１に対向している。詳細には、外側面３１及び内側面３２は、何れも鉛直な面であり、互いに平行である。本実施形態において外側面３１と内側面３２とは、形状及び大きさが略等しい。すなわち、外側面３１の水平方向の長さと内側面３２の水平方向の長さとは略等しく、かつ外側面３１の鉛直方向の長さと内側面３２の鉛直方向の長さとは略等しい。したがって、内側面３２は、外側面３１の全体に対向している。また、内側面３２の下端は、図３に示すように、底面部５０に達している。水平面３３は、外側面３１の上端と内側面３２の上端とを連結している。
【００１５】
側面部４０は、外側面４１、内側面４２及び水平面４３を有している。これらの外側面４１、内側面４２及び水平面４３は、何れも矩形である。内側面４２は、外側面４１に対向している。詳細には、外側面４１及び内側面４２は、何れも鉛直な面であり、互いに平行である。本実施形態において外側面４１と内側面４２とは、形状及び大きさが略等しい。すなわち、外側面４１の水平方向の長さと内側面４２の水平方向の長さとは略等しく、かつ外側面４１の鉛直方向の長さと内側面４２の鉛直方向の長さとは略等しい。したがって、内側面４２は、外側面４１の全体に対向している。また、内側面４２の下端は、図４に示すように、底面部５０に達している。水平面４３は、外側面４１の上端と内側面４２の上端とを連結している。
【００１６】
図１及び図２に示すように、側面部１０の水平面１３と側面部２０の水平面２３とは、互いに重なっている。具体的には、側面部２０の水平面２３の端部上に、側面部１０の水平面１３の端部が重なっている。側面部２０の水平面２３と側面部３０の水平面３３とは、互いに重なっている。具体的には、側面部３０の水平面３３の端部上に、側面部２０の水平面２３の端部が重なっている。側面部３０の水平面３３と側面部４０の水平面４３とは、互いに重なっている。具体的には、側面部３０の水平面３３の端部上に、側面部４０の水平面４３の端部が重なっている。また、側面部４０の水平面４３と側面部１０の水平面１３とは、互いに重なっている。具体的には、側面部４０の水平面４３の端部上に、側面部１０の水平面１３の端部が重なっている。
【００１７】
組立式トイレ１において、側面部１０，２０，３０，４０の水平面１３，２３，３３，４３は、便座として機能する。そして、側面部１０，２０，３０，４０で囲まれた空間Ｓ１に排泄物が溜まる。組立式トイレ１の使用時、当該空間Ｓ１には、排泄物を収容するための袋（図示せず）が配設される。かかる袋としては、例えばポリエチレン製の袋を用いることができる。袋の中には、排泄物を吸収する排泄物処理材が入れられていることが好ましい。
【００１８】
図５は、組立式トイレ１の組立前の状態を示す平面図である。同図は、組立式トイレ１の内側の面を示している。組立式トイレ１は、１枚の平坦な段ボール又は厚紙からなる。底面部５０の４辺には、それぞれ側面部１０，２０，３０，４０が連設されている。
【００１９】
具体的には、底面部５０の１つの辺（図５における下側の辺）に側面部１０の外側面１１が連設されている。側面部１０において、外側面１１には水平面１３が連設され、水平面１３には内側面１２が連設されている。底面部５０と外側面１１との境界には、折込線Ｌ１１が形成されている。外側面１１と水平面１３との境界には、折込線Ｌ１２が形成されている。また、水平面１３と内側面１２との境界には、折込線Ｌ１３が形成されている。このように、本実施形態において側面部１０は、複数の折込線Ｌ１２，Ｌ１３を有する１枚の連続する段ボール又は厚紙からなる。側面部１０は、これらの折込線Ｌ１２，Ｌ１３に沿って折り込まれることにより、外側面１１、外側面１１に対向する内側面１２、及び外側面１１の上端と内側面１２の上端とを連結する水平面１３が形成されるように構成されている。
【００２０】
外側面１１の両側には、それぞれ爪部１４及び爪部１５が連設されている。爪部１４は、後述する側面部４０の孔部４５ａに挿入される。外側面１１と爪部１４との境界には、折込線Ｌ１４が形成されている。また、爪部１５は、後述する側面部２０の孔部２４ａに挿入される。外側面１１と爪部１５との境界には、折込線Ｌ１５が形成されている。
【００２１】
内側面１２には、切込部１７（第４の切込部）及び切込部１９（第１の切込部）が形成されている。各切込部１７，１９は、内側面１２の下端（水平面１３の反対側の端部）から内側面１２の途中まで延在している。ここで、切込部１７と内側面１２の側端との間隔ｄ１７は、側面部４０の水平面４３の幅ｄ４３に略等しい。また、切込部１９と内側面１２の側端との間隔ｄ１９は、側面部２０の水平面２３の幅ｄ２３に略等しい。
【００２２】
底面部５０のもう１つの辺（図５における左側の辺）に側面部２０の外側面２１が連設されている。側面部２０において、外側面２１には水平面２３が連設され、水平面２３には内側面２２が連設されている。底面部５０と外側面２１との境界には、折込線Ｌ２１が形成されている。外側面２１と水平面２３との境界には、折込線Ｌ２２が形成されている。また、水平面２３と内側面２２との境界には、折込線Ｌ２３が形成されている。このように、本実施形態において側面部２０は、複数の折込線Ｌ２２，Ｌ２３を有する１枚の連続する段ボール又は厚紙からなる。側面部２０は、これらの折込線Ｌ２２，Ｌ２３に沿って折り込まれることにより、外側面２１、外側面２１に対向する内側面２２、及び外側面２１の上端と内側面２２の上端とを連結する水平面２３が形成されるように構成されている。
【００２３】
外側面２１の両側には、それぞれ補強部２４及び爪部２５が連設されている。補強部２４は、組立後の組立式トイレ１において側面部１０の外側面１１に重なるように設けられている。外側面２１と補強部２４との境界には、折込線Ｌ２４が形成されている。折込線Ｌ２４の一部分には、孔部２４ａが形成されている。孔部２４ａには、上述の爪部１５が挿入される。また、爪部２５は、後述する側面部３０の孔部３４ａに挿入される。外側面２１と爪部２５との境界には、折込線Ｌ２５が形成されている。
【００２４】
水平面２３から内側面２２にかけてスリット２６（第１のスリット）が形成されている。本実施形態においてスリット２６は、水平面２３から内側面２２の途中にかけて形成されている。すなわち、スリット２６は、折込線Ｌ２２から内側面２２の途中まで延在している。スリット２６には、側面部１０の内側面１２が差し込まれる。具体的には、内側面１２における切込部１９の延長線上にある部分がスリット２６に差し込まれる。このとき、切込部１９は、内側面２２におけるスリット２６が形成されていない部分（スリット２６の延長線上にある部分）と係合する。ここで、スリット２６と内側面２２の下端との間隔ｄ２６１は、切込部１９の長さに略等しい。また、スリット２６と内側面２２の側端との間隔ｄ２６２は、側面部１０の水平面１３の幅ｄ１３に略等しい。
【００２５】
さらに、内側面２２には、切込部２９（第２の切込部）が形成されている。切込部２９は、内側面２２の下端（水平面２３の反対側の端部）から内側面２２の途中まで延在している。ここで、切込部２９と内側面２２の側端との間隔ｄ２９は、側面部３０の水平面３３の幅ｄ３３に略等しい。
【００２６】
底面部５０のもう１つの辺（図５における上側の辺）に側面部３０の外側面３１が連設されている。側面部３０において、外側面３１には水平面３３が連設され、水平面３３には内側面３２が連設されている。底面部５０と外側面３１との境界には、折込線Ｌ３１が形成されている。外側面３１と水平面３３との境界には、折込線Ｌ３２が形成されている。また、水平面３３と内側面３２との境界には、折込線Ｌ３３が形成されている。このように、本実施形態において側面部３０は、複数の折込線Ｌ３２，Ｌ３３を有する１枚の連続する段ボール又は厚紙からなる。側面部３０は、これらの折込線Ｌ３２，Ｌ３３に沿って折り込まれることにより、外側面３１、外側面３１に対向する内側面３２、及び外側面３１の上端と内側面３２の上端とを連結する水平面３３が形成されるように構成されている。
【００２７】
外側面３１の両側には、それぞれ補強部３４及び補強部３５が連設されている。補強部３４は、組立後の組立式トイレ１において側面部２０の外側面２１に重なるように設けられている。外側面３１と補強部３４との境界には、折込線Ｌ３４が形成されている。折込線Ｌ３４の一部分には、孔部３４ａが形成されている。孔部３４ａには、上述の爪部２５が挿入される。また、補強部３５は、組立後の組立式トイレ１において側面部４０の外側面４１に重なるように設けられている。外側面３１と補強部３５との境界には、折込線Ｌ３５が形成されている。折込線Ｌ３５の一部分には、孔部３５ａが形成されている。孔部３５ａには、後述する側面部４０の爪部４４が挿入される。
【００２８】
水平面３３から内側面３２にかけてスリット３６（第２のスリット）及びスリット３８（第３のスリット）が形成されている。本実施形態において各スリット３６，３８は、水平面３３から内側面３２の途中にかけて形成されている。すなわち、各スリット３６，３８は、折込線Ｌ３２から内側面３２の途中まで延在している。
【００２９】
スリット３６には、側面部２０の内側面２２が差し込まれる。具体的には、内側面２２における切込部２９の延長線上にある部分がスリット３６に差し込まれる。このとき、切込部２９は、内側面３２におけるスリット３６が形成されていない部分（スリット３６の延長線上にある部分）と係合する。ここで、スリット３６と内側面３２の下端との間隔ｄ３６１は、切込部２９の長さに略等しい。また、スリット３６と内側面３２の側端との間隔ｄ３６２は、側面部２０の水平面２３の幅ｄ２３に略等しい。スリット３８には、後述するように、側面部４０の内側面４２が差し込まれる。ここで、スリット３８と内側面３２の側端との間隔ｄ３８２は、側面部４０の水平面４３の幅ｄ４３に略等しい。
【００３０】
底面部５０の残りの辺（図５における右側の辺）に側面部４０の外側面４１が連設されている。側面部４０において、外側面４１には水平面４３が連設され、水平面４３には内側面４２が連設されている。底面部５０と外側面４１との境界には、折込線Ｌ４１が形成されている。外側面４１と水平面４３との境界には、折込線Ｌ４２が形成されている。また、水平面４３と内側面４２との境界には、折込線Ｌ４３が形成されている。このように、本実施形態において側面部４０は、複数の折込線Ｌ４２，Ｌ４３を有する１枚の連続する段ボール又は厚紙からなる。側面部４０は、これらの折込線Ｌ４２，Ｌ４３に沿って折り込まれることにより、外側面４１、外側面４１に対向する内側面４２、及び外側面４１の上端と内側面４２の上端とを連結する水平面４３が形成されるように構成されている。
【００３１】
外側面４１の両側には、それぞれ爪部４４及び補強部４５が連設されている。爪部４４は、上述の孔部３５ａに挿入される。外側面４１と爪部４４との境界には、折込線Ｌ４４が形成されている。また、補強部４５は、組立後の組立式トイレ１において側面部１０の外側面１１に重なるように設けられている。外側面４１と補強部４５との境界には、折込線Ｌ４５が形成されている。折込線Ｌ４５の一部分には、孔部４５ａが形成されている。孔部４５ａには、上述の爪部１４が挿入される。
【００３２】
内側面４２には、切込部４７（第３の切込部）が形成されている。切込部４７は、内側面４２の下端（水平面４３の反対側の端部）から内側面４２の途中まで延在している。内側面４２は、上述のスリット３８に差し込まれる。具体的には、内側面４２における切込部４７の延長線上にある部分がスリット３８に差し込まれる。このとき、切込部４７は、内側面３２におけるスリット３８が形成されていない部分（スリット３８の延長線上にある部分）と係合する。ここで、切込部４７の長さは、スリット３８と内側面３２の下端との間隔ｄ３８１に略等しい。また、切込部４７と内側面４２の側端との間隔ｄ４７は、側面部３０の水平面３３の幅ｄ３３に略等しい。
【００３３】
さらに、水平面４３から内側面４２にかけてスリット４８（第４のスリット）が形成されている。本実施形態においてスリット４８は、水平面４３から内側面４２の途中にかけて形成されている。すなわち、スリット４８は、折込線Ｌ４２から内側面４２の途中まで延在している。スリット４８には、側面部１０の内側面１２が差し込まれる。具体的には、内側面１２における切込部１７の延長線上にある部分がスリット４８に差し込まれる。このとき、切込部１７は、内側面４２におけるスリット４８が形成されていない部分（スリット４８の延長線上にある部分）と係合する。ここで、スリット４８と内側面４２の下端との間隔ｄ４８１は、切込部１７の長さに略等しい。また、スリット４８と内側面４２の側端との間隔ｄ４８２は、側面部１０の水平面１３の幅ｄ１３に略等しい。
【００３４】
図６〜図８を参照しつつ、組立式トイレ１の組立ての手順を説明する。まず、折込線Ｌ３１〜Ｌ３５を折り込むことにより、側面部３０を組み立てる。具体的には、折込線Ｌ３１〜Ｌ３５に沿って略直角に谷折りすることにより、図６に示すように、底面部５０上に立設された側面部３０が得られる。
【００３５】
次に、折込線Ｌ２１〜Ｌ２５を折り込むことにより、側面部２０を組み立てる。具体的には、折込線Ｌ２１〜Ｌ２５に沿って略直角に谷折りすることにより、図７に示すように、底面部５０上に立設された側面部２０が得られる。このとき、爪部２５が側面部３０の孔部３４ａに挿入される。また、内側面３２におけるスリット３６の延長線上にある部分に切込部２９が係合するように、内側面２２がスリット３６に差し込まれる。これにより、補強部３４が外側面２１の内側の面に重なる。補強部３４と外側面２１とは、互いに接着されてもよい。かかる接着には、例えば、接着剤や両面テープを用いることができる。
【００３６】
同様に、折込線Ｌ４１〜Ｌ４５を折り込むことにより、側面部４０を組み立てる。具体的には、折込線Ｌ４１〜Ｌ４５に沿って略直角に谷折りすることにより、図８に示すように、底面部５０上に立設された側面部４０が得られる。このとき、爪部４４が側面部３０の孔部３５ａに挿入される。また、内側面３２におけるスリット３８の延長線上にある部分に切込部４７が係合するように、内側面４２がスリット３８に差し込まれる。これにより、補強部３５が外側面４１の内側の面に重なる。補強部３５と外側面４１とは、互いに接着されてもよい。なお、側面部４０の組立ては、側面部２０の組立てに先立って行われてもよいし、側面部２０の組立てと同時に行われてもよい。
【００３７】
続いて、折込線Ｌ１１〜Ｌ１５を折り込むことにより、側面部１０を組み立てる。具体的には、折込線Ｌ１１〜Ｌ１５に沿って略直角に谷折りすることにより、図１に示したように、底面部５０上に立設された側面部１０が得られる。このとき、爪部１４が側面部４０の孔部４５ａに挿入されるとともに、爪部１５が側面部２０の孔部２４ａに挿入される。また、内側面４２におけるスリット４８の延長線上にある部分に切込部１７が係合するように内側面１２がスリット４８に差し込まれるとともに、内側面２２におけるスリット２６の延長線上にある部分に切込部１９が係合するように内側面１２がスリット２６に差し込まれる。これにより、補強部２４，４５が外側面１１の内側の面に重なる。各補強部２４，４５と外側面１１とは、互いに接着されてもよい。以上により、図１に示した組立式トイレ１が得られる。
【００３８】
組立式トイレ１の効果を説明する。組立式トイレ１においては、各側面部１０，２０，３０，４０が、外側面１１，２１，３１，４１及び内側面１２，２２，３２，４２からなる二重構造を有している。さらに、各側面部１０，２０，３０，４０には、外側面１１，２１，３１，４１と内側面１２，２２，３２，４２とを連結する水平面１３，２３，３３，４３が設けられている。各側面部１０，２０，３０，４０は、その水平面１３，２３，３３，４３が隣り合う側面部１０，２０，３０，４０の水平面１３，２３，３３，４３と重なり合うように構成されている。これにより、側面部１０，２０，３０，４０どうしが相互に支え合う構造が実現されるため、組立式トイレ１の強度を飛躍的に高めることができる。
【００３９】
このように、側面部１０において、外側面１１と内側面１２とは、それらの上端において水平面１３を介して互いに連結されている。かかる構造によれば、図９に示すように、ユーザが組立式トイレ１に腰を掛けた際に側面部１０に対して上方から力Ｆが加わっても、外側面１１と内側面１２との間隔が一定に保たれるため、外側面１１及び内側面１２が鉛直な状態が維持されやすくなる。それゆえ、外側面１１及び内側面１２は、面に対して平行な方向から力Ｆを受けることができるので、当該力Ｆに対して強度を発揮しやすい。
【００４０】
これに対し、図１０に示すように、外側面１１１と内側面１１２とが上端において互いに連結されていない構造の場合、力Ｆが加わると、外側面１１１と内側面１１２との間隔が変化しやすく、外側面１１１及び内側面１１２が鉛直な状態が維持されにくい。それゆえ、外側面１１１及び内側面１１２は、面に対して斜め方向から力Ｆを受けざるを得なくなるので、当該力Ｆに対して強度を発揮しにくい。
【００４１】
このように、組立式トイレ１において、側面部１０が外側面１１及び内側面１２に加えて水平面１３を有することは、組立式トイレ１の強度を高める上で有利に働く。側面部２０，３０，４０についても同様である。
【００４２】
側面部２０はスリット２６を有しており、側面部１０の内側面１２がスリット２６に差し込まれることにより、側面部２０の水平面２３上に、側面部１０の水平面１３が重なるように構成されている。これにより、簡易な構成で、側面部１０と側面部２０とが相互に支え合う構造を実現することができる。また、側面部１０と側面部２０とを強固に固定することができる。
【００４３】
さらに、スリット２６は、側面部２０の水平面２３から内側面２２の途中にかけて形成されている。そして、側面部１０の内側面１２は切込部１９を有しており、切込部１９は、内側面２２におけるスリット２６の延長線上にある部分と係合する。これにより、側面部１０と側面部２０との固定を一層強固なものにすることができる。
【００４４】
側面部３０はスリット３６を有しており、側面部２０の内側面２２がスリット３６に差し込まれることにより、側面部３０の水平面３３上に、側面部２０の水平面２３が重なるように構成されている。これにより、簡易な構成で、側面部２０と側面部３０とが相互に支え合う構造を実現することができる。また、側面部２０と側面部３０とを強固に固定することができる。
【００４５】
さらに、スリット３６は、側面部３０の水平面３３から内側面３２の途中にかけて形成されている。そして、側面部２０の内側面２２は切込部２９を有しており、切込部２９は、内側面３２におけるスリット３６の延長線上にある部分と係合する。これにより、側面部２０と側面部３０との固定を一層強固なものにすることができる。
【００４６】
側面部３０はスリット３８を有しており、側面部４０の内側面４２がスリット３８に差し込まれることにより、側面部３０の水平面３３上に、側面部４０の水平面４３が重なるように構成されている。これにより、簡易な構成で、側面部３０と側面部４０とが相互に支え合う構造を実現することができる。また、側面部３０と側面部４０とを強固に固定することができる。
【００４７】
さらに、スリット３８は、側面部３０の水平面３３から内側面３２の途中にかけて形成されている。そして、側面部４０の内側面４２は切込部４７を有しており、切込部４７は、内側面３２におけるスリット３８の延長線上にある部分と係合する。これにより、側面部３０と側面部４０との固定を一層強固なものにすることができる。
【００４８】
側面部４０はスリット４８を有しており、側面部１０の内側面１２がスリット４８に差し込まれることにより、側面部４０の水平面４３上に、側面部１０の水平面１３が重なるように構成されている。これにより、簡易な構成で、側面部４０と側面部１０とが相互に支え合う構造を実現することができる。また、側面部４０と側面部１０とを強固に固定することができる。
【００４９】
さらに、スリット４８は、側面部４０の水平面４３から内側面４２の途中にかけて形成されている。そして、側面部１０の内側面１２は切込部１７を有しており、切込部１７は、内側面４２におけるスリット４８の延長線上にある部分と係合する。これにより、側面部４０と側面部１０との固定を一層強固なものにすることができる。
【００５０】
組立式トイレ１においては、爪部１４，１５，２５，４４、及び孔部２４ａ，３４ａ，３５ａ，４５ａが設けられている。そして、爪部１４が孔部４５ａに挿入されることにより、側面部１０と側面部４０との固定を一層強固なものにすることができる。爪部１５が孔部２４ａに挿入されることにより、側面部１０と側面部２０との固定を一層強固なものにすることができる。爪部２５が孔部３４ａに挿入されることにより、側面部２０と側面部３０との固定を一層強固なものにすることができる。また、爪部４４が孔部３５ａに挿入されることにより、側面部４０と側面部３０との固定を一層強固なものにすることができる。
【００５１】
側面部１０は、複数の折込線Ｌ１２，Ｌ１３を有する１枚の連続する段ボール又は厚紙からなり、これらの折込線Ｌ１２，Ｌ１３に沿って折り込まれることにより、外側面１１、内側面１２及び水平面１３が形成されるように構成されている。このため、外側面１１、内側面１２及び水平面１３からなる二重構造の側面部１０を容易に組み立てることができる。側面部２０，３０，４０についても同様である。
【００５２】
側面部１０は、外側面１１に重なるように設けられた補強部２４，４５を有している。これにより、側面部１０の強度、ひいては組立式トイレ１の強度を高めることができる。側面部２０は、外側面２１に重なるように設けられた補強部３４を有している。これにより、側面部２０の強度、ひいては組立式トイレ１の強度を高めることができる。また、側面部４０は、外側面４１に重なるように設けられた補強部３５を有している。これにより、側面部４０の強度、ひいては組立式トイレ１の強度を高めることができる。
【００５３】
組立式トイレ１において、側面部１０，２０，３０，４０の水平面１３，２３，３３，４３は、便座として機能する。これにより、便座として機能する部材を別途設ける必要がないため、組立式トイレ１の構造を簡素化することができる。また、便座としての使いやすさという観点から、水平面１３の幅ｄ１３（図５参照）は、５ｃｍ以上１５ｃｍ以下であることが好ましく、８ｃｍ以上１２ｃｍ以下であることがより好ましい。水平面２３，３３，４３についても同様である。
【００５４】
組立式トイレ１は、段ボール又は厚紙からなる。このため、組立式トイレ１は、容易に廃棄することが可能である。また、段ボールや厚紙は比較的軽量であるため、組立の前後を通じて、組立式トイレ１の運搬・移動が容易となる。特に、組立式トイレ１が段ボールからなる場合、消臭効果に優れた組立式トイレ１が実現される。
【００５５】
組立式トイレ１は、組立前、１枚の平坦な段ボール又は厚紙からなる。このため、組立前の組立式トイレ１の保管に必要なスペースを節約することができる。さらに、組立式トイレ１は、箱状をしているため、排泄物が飛散しにくいという利点がある。
（第２実施形態）
【００５６】
図１１は、本発明による組立式トイレの第２実施形態を示す斜視図である。図１２は、図１１の組立式トイレを示す平面図である。また、図１３及び図１４は、それぞれ図１２のXIII−XIII線及びXIV−XIV線に沿った断面図である。組立式トイレ２は、段ボール又は厚紙からなる箱状の組立式トイレである。組立式トイレ２は、側面部６０（第１の側面部）、側面部７０（第２の側面部）、側面部８０（第３の側面部）及び側面部９０（第４の側面部）、並びに底面部５０を備えており、直方体の形状をしている。組立式トイレ２の大きさは、組立式トイレ１と同様である。
【００５７】
側面部６０は、外側面６１、内側面６２及び水平面６３を有している。これらの外側面６１、内側面６２及び水平面６３は、何れも矩形である。内側面６２は、外側面６１に対向している。詳細には、外側面６１及び内側面６２は、何れも鉛直（底面部５０に対して垂直）な面であり、互いに平行である。本実施形態において内側面６２は、外側面６１よりも小さい。詳細には、外側面６１の水平方向の長さと内側面６２の水平方向の長さとは略等しいが、内側面６２の鉛直方向の長さは、外側面６１の鉛直方向の長さよりも小さい。それゆえ、内側面６２の下端は、図１３に示すように、底面部５０から離間している。水平面６３は、外側面６１の上端と内側面６２の上端とを連結している。さらに、側面部６０は、内側面６２の下端から底面部５０まで延びる補助片部６５を有している。補助片部６５は、内側面６２とは別体に設けられている。
【００５８】
側面部７０は、外側面７１、内側面７２及び水平面７３を有している。これらの外側面７１、内側面７２及び水平面７３は、何れも矩形である。内側面７２は、外側面７１に対向している。詳細には、外側面７１及び内側面７２は、何れも鉛直な面であり、互いに平行である。本実施形態において外側面７１と内側面７２とは、形状及び大きさが略等しい。すなわち、外側面７１の水平方向の長さと内側面７２の水平方向の長さとは略等しく、かつ外側面７１の鉛直方向の長さと内側面７２の鉛直方向の長さとは略等しい。したがって、内側面７２は、外側面７１の全体に対向している。また、内側面７２の下端は、図１４に示すように、底面部５０に達している。
【００５９】
側面部８０は、外側面８１、内側面８２及び水平面８３を有している。これらの外側面８１、内側面８２及び水平面８３は、何れも矩形である。内側面８２は、外側面８１に対向している。詳細には、外側面８１及び内側面８２は、何れも鉛直な面であり、互いに平行である。本実施形態において内側面８２は、外側面８１よりも小さい。詳細には、外側面８１の水平方向の長さと内側面８２の水平方向の長さとは略等しいが、内側面８２の鉛直方向の長さは、外側面８１の鉛直方向の長さよりも小さい。それゆえ、内側面８２の下端は、図１３に示すように、底面部５０から離間している。水平面８３は、外側面８１の上端と内側面８２の上端とを連結している。さらに、側面部８０は、内側面８２の下端から底面部５０まで延びる補助片部８５を有している。補助片部８５は、内側面８２とは別体に設けられている。
【００６０】
側面部９０は、外側面９１、内側面９２及び水平面９３を有している。これらの外側面９１、内側面９２及び水平面９３は、何れも矩形である。内側面９２は、外側面９１に対向している。詳細には、外側面９１及び内側面９２は、何れも鉛直な面であり、互いに平行である。本実施形態において外側面９１と内側面９２とは、形状及び大きさが略等しい。すなわち、外側面９１の水平方向の長さと内側面９２の水平方向の長さとは略等しく、かつ外側面９１の鉛直方向の長さと内側面９２の鉛直方向の長さとは略等しい。したがって、内側面９２は、外側面９１の全体に対向している。また、内側面９２の下端は、図１４に示すように、底面部５０に達している。
【００６１】
図１１及び図１２に示すように、側面部６０の水平面６３と側面部７０の水平面７３とは、互いに重なっている。具体的には、側面部７０の水平面７３の端部上に、側面部６０の水平面６３の端部が重なっている。側面部７０の水平面７３と側面部８０の水平面８３とは、互いに重なっている。具体的には、側面部７０の水平面７３の端部上に、側面部８０の水平面８３の端部が重なっている。側面部８０の水平面８３と側面部９０の水平面９３とは、互いに重なっている。具体的には、側面部９０の水平面９３の端部上に、側面部８０の水平面８３の端部が重なっている。また、側面部９０の水平面９３と側面部６０の水平面６３とは、互いに重なっている。具体的には、側面部９０の水平面９３の端部上に、側面部６０の水平面６３の端部が重なっている。
【００６２】
組立式トイレ２において、側面部６０，７０，８０，９０の水平面６３，７３，８３，９３は、便座として機能する。そして、側面部６０，７０，８０，９０で囲まれた空間Ｓ２に排泄物が溜まる。組立式トイレ２の使用時、当該空間Ｓ２に排泄物を収容するための袋（図示せず）が配設されることは、組立式トイレ１について説明したとおりである。
【００６３】
図１５は、組立式トイレ２の組立前の状態を示す平面図である。同図は、組立式トイレ２の内側の面を示している。組立式トイレ２は、補助片部６５，８５を除いて、１枚の平坦な段ボール又は厚紙からなる。
【００６４】
底面部５０の１つの辺（図１５における下側の辺）に側面部６０の外側面６１が連設されている。側面部６０において、外側面６１には水平面６３が連設され、水平面６３には内側面６２が連設されている。底面部５０と外側面６１との境界には、折込線Ｌ６１が形成されている。外側面６１と水平面６３との境界には、折込線Ｌ６２が形成されている。また、水平面６３と内側面６２との境界には、折込線Ｌ６３が形成されている。
【００６５】
これらの外側面６１、内側面６２及び水平面６３とは別個に、補助片部６５が設けられている。補助片部６５の鉛直方向の長さｄ６５と内側面６２の鉛直方向の長さｄ６２との和は、外側面６１の鉛直方向の長さｄ６１１に略等しい。また、補助片部６５の水平方向の長さは、内側面６２の水平方向の長さに略等しい。
【００６６】
補助片部６５には、切込部６７及び切込部６９が形成されている。各切込部６７，６９は、補助片部６５の下端から補助片部６５の途中まで延在している。ここで、切込部６７と補助片部６５の側端との間隔ｄ６７は、側面部９０の水平面９３の幅ｄ９３に略等しい。また、切込部６９と補助片部６５の側端との間隔ｄ６９は、側面部７０の水平面７３の幅ｄ７３に略等しい。
【００６７】
底面部５０のもう１つの辺（図１５における左側の辺）に側面部７０の外側面７１が連設されている。側面部７０において、外側面７１には水平面７３が連設され、水平面７３には内側面７２が連設されている。底面部５０と外側面７１との境界には、折込線Ｌ７１が形成されている。外側面７１と水平面７３との境界には、折込線Ｌ７２が形成されている。また、水平面７３と内側面７２との境界には、折込線Ｌ７３が形成されている。
【００６８】
外側面７１の両側には、それぞれ補強部７４及び補強部７５が連設されている。補強部７４は、組立後の組立式トイレ２において側面部６０の外側面６１に重なるように設けられている。ここで、補強部７４の鉛直方向の長さｄ７４１は、外側面６１の鉛直方向の長さｄ６１１に略等しい。また、補強部７４の水平方向の長さｄ７４２は、外側面６１の水平方向の長さｄ６１２の２分の１に略等しい。外側面７１と補強部７４との境界には、折込線Ｌ７４が形成されている。補強部７５は、組立後の組立式トイレ２において側面部８０の外側面８１に重なるように設けられている。補強部７５の大きさは、補強部７４の大きさに略等しい。外側面７１と補強部７５との境界には、折込線Ｌ７５が形成されている。
【００６９】
水平面７３から内側面７２にかけてスリット７６（第１のスリット）及びスリット７８（第２のスリット）が形成されている。本実施形態において各スリット７６，７８は、水平面７３から内側面７２の途中にかけて形成されている。すなわち、各スリット７６，７８は、折込線Ｌ７２から内側面７２の途中まで延在している。スリット７６には、補助片部６５及び内側面６２が差し込まれる。具体的には、補助片部６５及び内側面６２における切込部６９の延長線上にある部分（図１５参照）がスリット７６に差し込まれる。このとき、切込部６９は、内側面７２におけるスリット７６が形成されていない部分（スリット７６の延長線上にある部分）と係合する。ここで、スリット７６と内側面７２の下端との間隔ｄ７６１は、切込部６９の長さに略等しい。また、スリット７６と内側面７２の側端との間隔ｄ７６２は、側面部６０の水平面６３の幅ｄ６３に略等しい。スリット７８には、後述するように、補助片部８５及び内側面８２が差し込まれる。ここで、スリット７８と内側面７２の側端との間隔ｄ７８２は、側面部８０の水平面８３の幅ｄ８３に略等しい。
【００７０】
底面部５０のもう１つの辺（図１５における上側の辺）に側面部８０の外側面８１が連設されている。側面部８０において、外側面８１には水平面８３が連設され、水平面８３には内側面８２が連設されている。側面部８０と外側面８１との境界には、折込線Ｌ８１が形成されている。外側面８１と水平面８３との境界には、折込線Ｌ８２が形成されている。また、水平面８３と内側面８２との境界には、折込線Ｌ８３が形成されている。
【００７１】
これらの外側面８１、内側面８２及び水平面８３とは別個に、補助片部８５が設けられている。補助片部８５の鉛直方向の長さｄ８５と内側面８２の鉛直方向の長さｄ８２との和は、外側面８１の鉛直方向の長さｄ８１に略等しい。また、補助片部８５の水平方向の長さは、内側面８２の水平方向の長さに略等しい。
【００７２】
補助片部８５には、切込部８７及び切込部８９が形成されている。各切込部８７，８９は、補助片部８５の下端から補助片部８５の途中まで延在している。補助片部８５及び内側面８２は、上述のスリット７８に差し込まれる。具体的には、補助片部８５及び内側面８２における切込部８７の延長線上にある部分（図１５参照）がスリット７８に差し込まれる。このとき、切込部８７は、内側面７２におけるスリット７８が形成されていない部分（スリット７８の延長線上にある部分）と係合する。ここで、切込部８７の長さは、スリット７８と内側面７２の下端との間隔ｄ７８１に略等しい。切込部８７と補助片部８５の側端との間隔ｄ８７は、側面部７０の水平面７３の幅ｄ７３に略等しい。また、切込部８９と補助片部８５の側端との間隔ｄ８９は、側面部９０の水平面９３の幅ｄ９３に略等しい。
【００７３】
底面部５０の残りの辺（図１５における右側の辺）に側面部９０の外側面９１が連設されている。側面部９０において、外側面９１には水平面９３が連設され、水平面９３には内側面９２が連設されている。底面部５０と外側面９１との境界には、折込線Ｌ９１が形成されている。外側面９１と水平面９３との境界には、折込線Ｌ９２が形成されている。また、水平面９３と内側面９２との境界には、折込線Ｌ９３が形成されている。
【００７４】
外側面９１の両側には、それぞれ補強部９４及び補強部９５が連設されている。補強部９４は、組立後の組立式トイレ２において側面部８０の外側面８１に重なるように設けられている。外側面９１と補強部９４との境界には、折込線Ｌ９４が形成されている。補強部９５は、組立後の組立式トイレ２において側面部６０の外側面６１に重なるように設けられている。外側面９１と補強部９５との境界には、折込線Ｌ９５が形成されている。各補強部９４，９５の大きさは、補強部７４の大きさに略等しい。
【００７５】
水平面９３から内側面９２にかけてスリット９６（第３のスリット）及びスリット９８（第４のスリット）が形成されている。本実施形態において各スリット９６，９８は、水平面９３から内側面９２の途中にかけて形成されている。すなわち、各スリット９６，９８は、折込線Ｌ９２から内側面９２の途中まで延在している。スリット９６には、補助片部８５及び内側面８２が差し込まれる。具体的には、補助片部８５及び内側面８２における切込部８９の延長線上にある部分（図１５参照）がスリット９６に差し込まれる。このとき、切込部８９は、内側面９２におけるスリット９６が形成されていない部分（スリット９６の延長線上にある部分）と係合する。ここで、スリット９６と内側面９２の下端との間隔ｄ９６１は、切込部８９の長さに略等しい。また、スリット９６と内側面９２の側端との間隔ｄ９６２は、側面部８０の水平面８３の幅ｄ８３に略等しい。
【００７６】
スリット９８には、補助片部６５及び内側面６２が差し込まれる。具体的には、補助片部６５及び内側面６２における切込部６７の延長線上にある部分（図１５参照）がスリット９８に差し込まれる。このとき、切込部６７は、内側面９２におけるスリット９８が形成されていない部分（スリット９８の延長線上にある部分）と係合する。ここで、スリット９８と内側面９２の下端との間隔ｄ９８１は、切込部６７の長さに略等しい。また、スリット９８と内側面９２の側端との間隔ｄ９８２は、側面部６０の水平面６３の幅ｄ６３に略等しい。
【００７７】
図１６及び図１７を参照しつつ、組立式トイレ２の組立ての手順を説明する。まず、折込線Ｌ７１〜Ｌ７５を折り込むことにより、側面部７０を組み立てる。具体的には、折込線Ｌ７１〜Ｌ７５に沿って略直角に谷折りすることにより、図１６に示すように、底面部５０上に立設された側面部７０が得られる。同様に、折込線Ｌ９１〜Ｌ９５を折り込むことにより、側面部９０を組み立てる。具体的には、折込線Ｌ９１〜Ｌ９５に沿って略直角に谷折りすることにより、図１６に示すように、底面部５０上に立設された側面部９０が得られる。なお、側面部９０の組立ては、側面部７０の組立てに先立って行われてもよいし、側面部７０の組立てと同時に行われてもよい。
【００７８】
次に、図１７に示すように、スリット７６及びスリット９８に補助片部６５を差し込む。具体的には、内側面７２におけるスリット７６の延長線上にある部分に切込部６９が係合するとともに、内側面９２におけるスリット９８の延長線上にある部分に切込部６７が係合するように、補助片部６５が差し込まれる。同様に、スリット７８及びスリット９６に補助片部８５を差し込む。具体的には、内側面７２におけるスリット７８の延長線上にある部分に切込部８７が係合するとともに、内側面９２におけるスリット９６の延長線上にある部分に切込部８９が係合するように、補助片部８５が差し込まれる。なお、補助片部８５の差込みは、補助片部６５の差込みに先立って行われてもよいし、補助片部６５の差込みと同時に行われてもよい。
【００７９】
続いて、折込線Ｌ６１〜Ｌ６３を折り込むことにより、側面部６０を組み立てる。具体的には、折込線Ｌ６１〜Ｌ６３に沿って略直角に谷折りすることにより、図１１に示したように、底面部５０上に立設された側面部６０が得られる。このとき、内側面６２がスリット７６及びスリット９８に差し込まれる。また、補強部７４，９５は、外側面６１に重なる。詳細には、外側面６１の内側の面の略全体が補強部７４，９５によって覆われる。各補強部７４，９５と外側面６１とは、互いに接着されてもよい。
【００８０】
同様に、折込線Ｌ８１〜Ｌ８３を折り込むことにより、側面部８０を組み立てる。具体的には、折込線Ｌ８１〜Ｌ８３に沿って略直角に谷折りすることにより、図１１に示したように、底面部５０上に立設された側面部８０が得られる。このとき、内側面８２がスリット７８及びスリット９６に差し込まれる。また、補強部７５，９４は、外側面８１に重なる。詳細には、外側面８１の内側の面の略全体が補強部７５，９４によって覆われる。各補強部７５，９４と外側面８１とは、互いに接着されてもよい。なお、側面部８０の組立ては、側面部６０の組立てに先立って行われてもよいし、側面部６０の組立てと同時に行われてもよい。以上により、図１１に示した組立式トイレ２が得られる。
【００８１】
組立式トイレ２の効果を説明する。組立式トイレ２においては、各側面部６０，７０，８０，９０が、外側面６１，７１，８１，９１及び内側面６２，７２，８２，９２からなる二重構造を有している。さらに、各側面部６０，７０，８０，９０には、外側面６１，７１，８１，９１と内側面６２，７２，８２，９２とを連結する水平面６３，７３，８３，９３が設けられている。各側面部６０，７０，８０，９０は、その水平面６３，７３，８３，９３が隣り合う側面部６０，７０，８０，９０の水平面６３，７３，８３，９３と重なり合うように構成されている。これにより、側面部６０，７０，８０，９０どうしが相互に支え合う構造が実現されるため、組立式トイレ２の強度を飛躍的に高めることができる。
【００８２】
スリット７６及びスリット９８がそれぞれ側面部７０及び側面部９０に形成されており、側面部６０の内側面６２がスリット７６及びスリット９８に差し込まれることにより、側面部７０の水平面７３及び側面部９０の水平面９３上に、側面部６０の水平面６３が重なるように構成されている。このため、側面部６０と側面部７０との固定、及び側面部６０と側面部９０との固定を、一回の動作（内側面６２をスリット７６及びスリット９８に差し込む動作）で行うことができる。
【００８３】
スリット７８及びスリット９６がそれぞれ側面部７０及び側面部９０に形成されており、側面部８０の内側面８２がスリット７８及びスリット９６に差し込まれることにより、側面部７０の水平面７３及び側面部９０の水平面９３上に、側面部８０の水平面８３が重なるように構成されている。このため、側面部８０と側面部７０との固定、及び側面部８０と側面部９０との固定を、一回の動作（内側面８２をスリット７８及びスリット９６に差し込む動作）で行うことができる。
【００８４】
側面部６０の内側面６２の鉛直方向の長さは、外側面６１の鉛直方向の長さよりも小さい。このように内側面６２が短いことにより、スリット７６及びスリット９８に対する内側面６２の差込みを容易に行うことができる。
【００８５】
側面部６０には、内側面６２の下端から底面部５０まで延びる補助片部６５が設けられている。すなわち、補助片部６５は、外側面６１の下部（内側面６２が対向していない部分）に対向するように配置される。これにより、内側面６２が短いにもかかわらず、側面部６０の高さ方向の全体にわたって二重構造が維持される。
【００８６】
側面部８０の内側面８２の鉛直方向の長さは、外側面８１の鉛直方向の長さよりも小さい。このように内側面８２が短いことにより、スリット７８及びスリット９６に対する内側面８２の差込みを容易に行うことができる。
【００８７】
側面部８０には、内側面８２の下端から底面部５０まで延びる補助片部８５が設けられている。すなわち、補助片部８５は、外側面８１の下部（内側面８２が対向していない部分）に対向するように配置される。これにより、内側面８２が短いにもかかわらず、側面部８０の高さ方向の全体にわたって二重構造が維持される。
【００８８】
側面部６０の外側面６１は、略全体が補強部７４，９５によって覆われる。これにより、側面部６０の強度、ひいては組立式トイレ２の強度を一層高めることができる。同様に、側面部８０の外側面８１は、略全体が補強部７５，９４によって覆われる。これにより、側面部８０の強度、ひいては組立式トイレ２の強度を一層高めることができる。組立式トイレ２のその他の効果は、組立式トイレ１について説明したとおりである。
【００８９】
本発明による組立式トイレは、上記実施形態に限定されるものではなく、様々な変形が可能である。例えば、上記実施形態においては、組立式トイレが１枚の段ボール又は厚紙からなる場合を示した。しかし、組立式トイレは、複数の段ボール又は厚紙からなっていてもよい。その場合、複数の段ボール又は厚紙は、組立時、適宜の手段（例えばガムテープによる貼合わせ）により相互に接続される。
【００９０】
組立式トイレが複数の段ボールからなる場合、第１乃至第４の側面部における中芯の流れ目方向が、当該各側面部の高さ方向に平行であることが好ましい。すなわち、図１８の側面図に示すように、段ボール１００は波状の中芯１０２を有するところ、この中芯１０２の流れ目方向（紙面に垂直な方向）が各側面部の高さ方向に平行であることが好ましい。かかる構成は、組立式トイレの強度を高めるのに有利である。すなわち、組立式トイレは、ユーザが腰を掛けて使用するものであるため、専ら高さ方向（鉛直方向）の力を受けることになる。そうであるところ、段ボールは中芯の流れ目方向に働く力に対して特に堅牢であるため、流れ目方向を高さ方向に揃えることにより、高さ方向の力に対する組立式トイレの強度を高めることができる。
【００９１】
上記各実施形態においては、図１９に示すように、スペーサ部材１２０が設けられてもよい。同図は、図２に示した組立式トイレ１にスペーサ部材１２０が設けられた例を示している。本例においては、２つのスペーサ部材１２０が設けられている。これらのスペーサ部材１２０は、側面部１０，２０，３０，４０で囲まれた空間Ｓ１内に配置されている。各スペーサ部材１２０は、剛性を有しており、側面部１０，２０，３０，４０のうち少なくとも２つの側面部の内側面に当接している。本例において各スペーサ部材１２０は、側面部１０，２０，３０，４０の全ての内側面に当接している。スペーサ部材１２０としては、例えば、プラスチック製の棒状の部材を用いることができる。かかるスペーサ部材１２０を設けることにより、側面部１０，２０，３０，４０が内側に傾くのを抑制することができる。また、空間Ｓ１に配設される袋が浅い場合に、袋が底面部５０に落下するのを防ぐことができる。
【００９２】
上記各実施形態においては、図２０に示すように、固定部材１３０が設けられてもよい。同図は、図１に示した組立式トイレ１に固定部材１３０が設けられた例を示している。固定部材１３０は、側面部１０，２０，３０，４０の周囲に設けられている。詳細には、側面部１０，２０，３０，４０を包囲するように、固定部材１３０が設けられている。固定部材１３０は、側面部１０，２０，３０，４０を締め付けている。固定部材１３０としては、例えば、ゴム又は面ファスナーからなる帯状の部材を用いることができる。かかる固定部材１３０を設けることにより、側面部１０，２０，３０，４０が外側に傾くのを抑制することができる。また、空間Ｓ１に配設される袋が破損した場合に、排泄物が組立式トイレ１の外に漏れにくくなる。
【符号の説明】
【００９３】
１  組立式トイレ
２  組立式トイレ
１０  側面部（第１の側面部）
１１  外側面
１２  内側面
１３  水平面
１４  爪部
１５  爪部
１７  切込部（第４の切込部）
１９  切込部（第１の切込部）
２０  側面部（第２の側面部）
２１  外側面
２２  内側面
２３  水平面
２４  補強部
２４ａ  孔部
２５  爪部
２６  スリット（第１のスリット）
２９  切込部（第２の切込部）
３０  側面部（第３の側面部）
３１  外側面
３２  内側面
３３  水平面
３４  補強部
３４ａ  孔部
３５  補強部
３５ａ  孔部
３６  スリット（第２のスリット）
３８  スリット（第３のスリット）
４０  側面部（第４の側面部）
４１  外側面
４２  内側面
４３  水平面
４４  爪部
４５  補強部
４５ａ  孔部
４７  切込部（第３の切込部）
４８  スリット（第４のスリット）
５０  底面部
６０  側面部（第１の側面部）
６１  外側面
６２  内側面
６３  水平面
６５  補助片部
６７  切込部
６９  切込部
７０  側面部（第２の側面部）
７１  外側面
７２  内側面
７３  水平面
７４  補強部
７５  補強部
７６  スリット（第１のスリット）
７８  スリット（第２のスリット）
８０  側面部（第３の側面部）
８１  外側面
８２  内側面
８３  水平面
８５  補助片部
８７  切込部
８９  切込部
９０  側面部（第４の側面部）
９１  外側面
９２  内側面
９３  水平面
９４  補強部
９５  補強部
９６  スリット（第３のスリット）
９８  スリット（第４のスリット）
１２０  スペーサ部材
１３０  固定部材
【図１】
0006417159.tif 000002
【図２】
0006417159.tif 000003
【図３】
0006417159.tif 000004
【図４】
0006417159.tif 000005
【図５】
0006417159.tif 000006
【図６】
0006417159.tif 000007
【図７】
0006417159.tif 000008
【図８】
0006417159.tif 000009
【図９】
0006417159.tif 000010
【図１０】
0006417159.tif 000011
【図１１】
0006417159.tif 000012
【図１２】
0006417159.tif 000013
【図１３】
0006417159.tif 000014
【図１４】
0006417159.tif 000015
【図１５】
0006417159.tif 000016
【図１６】
0006417159.tif 000017
【図１７】
0006417159.tif 000018
【図１８】
0006417159.tif 000019
【図１９】
0006417159.tif 000020
【図２０】
0006417159.tif 000021